(57)【要約】      （修正有）【課題】乳房の支持及び／又は乳房の増強に関連し、外観が良く取り扱い性の良好な衣服を提供する。【解決手段】どんな衣服にも使用される乳房支持装置５００の吊り体又は包囲体状の材料は、伸縮性又は「伸張自在」であり、且つ、滑らないものであり、例えば、綿／ポリエステルからなっている。吊り体又は包囲体状の材料は、端部５０１ａ，５０１ｂが伸縮性のある接続用ストラップ５０２の幅まで狭められるように形作られ、前記端部は、例えば適切な縫い込みによりストラップに接合されるとともに互いに接合される。ストラップの端部は、接続用ストラップの金属製の接続用バックル５０３の開口部に通される。接続用ストラップは、乳房装置を、外側の衣服の適切な位置に接続したりフックで引っかけるために使用される。【選択図】図８
2011089248.tif 000002
【特許請求の範囲】
【請求項１】
特定種類のカバー衣服の下から少なくとも一つの乳房を支持する乳房支持装置であって、前記装置は、再利用可能であるとともに、使用時に前記乳房を持ち上げ且つ支持するように配置された少なくとも一つの吊り体又は包囲体状の材料を備え、前記吊り体又は包囲体は、使用時に、衣服から吊られるか、又は、衣服の下から着用者の体に吊られ、前記装置は、前記少なくとも一つの乳房を、関連する乳房の上側部分又はその上方の一つ又は複数の位置から又は少なくとも乳房の乳首の上方から、肩及び／又は首及び／又は背中用の支持ストラップがなくとも、支持したり又は吊ったりすることができる、乳房支持装置。
【請求項２】
前記少なくとも一つの吊り体又は包囲体状の材料が個々の乳房を支持するように構成されるか、又は、使用時に両方の乳房が前記少なくとも一つの吊り体又は包囲体状の材料により同時に並んで支持され、且つ、好ましくは、前記少なくとも一つの吊り体又は包囲体状の材料は、重力に反して前記乳房を吊ることにより、前記一つの又はそれぞれの乳房に対して何らかの形状を与えながら当該一つの又はそれぞれの乳房を持ち上げ且つ支持するように配置することが可能であり、且つ、好ましくは、前記少なくとも一つの吊り体又は包囲体状の材料は可撓性があり、且つ、好ましくは、前記少なくとも一つの吊り体又は包囲体状の材料は、伸縮性があるか、又は「伸張自在」の、又は形状に関して自律性があるか、又は形状「記憶」材料を有し、且つ、好ましくは、前記少なくとも一つの吊り体又は包囲体状の材料は、前記乳房を滑らない態様で把持することが可能であり、且つ、可能であれば、前記吊り体又は包囲体状の材料は、（堅い）前もって形成された形状を有しておらず、且つ、前記一つの又はそれぞれの乳房の形状及び／又はサイズに少なくとも部分的に適応することが可能であり、及び／又は、前記吊り体又は包囲体状の材料には、好ましくは適切に形作られた挿入物の形態である詰め物材料が設けられ、且つ、前記挿入物は、前記吊り体又は包囲体状の材料から容易に取り除くことが可能であり、且つ、着用者に適合する種々のサイズに合わせて取り替えることが可能である、請求項１に記載の装置。
【請求項３】
前記吊り体又は包囲体状の材料は、特定種類の衣服に永久的に又は半永久的に取り付けられ、又は、前記吊り体又は包囲体状の材料は、特定種類の衣服に取り外し自在に留め付け可能であり、且つ、好ましくは、前記取り外し自在の留め付け部は、一つ又は複数のスナップボタン、又は表面接触留め付け材料、又はボタン及び受け入れ穴又はループを受け入れる穴又は前記吊り体又は包囲体状の材料の結び目のような手段を備え、且つ、好ましくは、前記装置は、前記吊り体又は包囲体としてストリップ状の材料の形態をとる吊り手段を有し、前記ストリップ状の材料には、取り外し自在の留め付け部の一部が、取り外し自在の留め付け部の残りが前記吊り体又は包囲体状の材料に設けられた状態で取り付けられ、且つ、好ましくは、前記ストリップ状の材料は、縫い込み及び／又は（熱により活性化される）接着剤により衣服に接続されるか又は接続可能であり、且つ、可能であれば、衣服への吊り体又は包囲体状の材料の留め付け位置が、使用時に、好ましくは衣服の高さ方向に調整可能であり、且つ、好ましくは、使用時に、一つの乳房が他の乳房よりも衣服上の高い位置から支持され得るように、二つの吊り体又は包囲体を有し、且つ、可能であれば、前記一つの又はそれぞれの吊り体又は包囲体の留め付け位置は、使用時に、衣服の上部内側の縁（衣服上にある、関連する肩又は首用の支持ストラップ（もし設けられていれば）の近く）に設けられ、且つ、可能であれば、互いに異なったサイズ又は形状の、吊り体又は包囲体状の材料を備え、又は、前記少なくとも一つの吊り体又は包囲体状の材料は、可能であれば、使用時に、乳房の上側部分又はその上方に位置付けられた接着テープにより支持され、前記テープは好ましくは両面テープである、請求項１又は請求項２に記載の装置。
【請求項４】
前記吊り体又は包囲体状の材料は、乳房に着用されたときに互いに近くにある端部を有し、且つ、好ましくは、前記端部は、体又は着用される衣服上にて互いに接近して隣り合うように接続され、且つ、好ましくは、前記吊り体又は包囲体状の材料の端部は、当該吊り体又は包囲体状の材料が衣服に接続される前、又は、乳房の周りに配置される前に、一緒になるように接続可能であり、その結果、衣服又は体上には前記吊り体又は包囲体状の材料のための唯一つの取り付け位置があるか、又は、前記吊り体又は包囲体状の材料の端部は、相対的に互いに近くにある離間した位置で衣服に接続可能であり、且つ、可能であれば、前記吊り体又は包囲体状の材料は、前記装置とともに着用される衣服により覆われる前に、乳房の乳首が露出された状態となるようにし、且つ、可能であれば、個別の又は一体の乳首用カバー手段を含み、且つ、可能であれば、着用者の体の近くにある乳房を把持するためのストリップ状のシリコーン材料又は同様のものを有し、且つ、可能であれば、シリコーン材料が前記吊り体又は包囲体上に吹き付けられ、且つ、好ましくは、吊り体又は包囲体の端部が狭められ、湾曲され又はテーパーが付与され、且つ、好ましくは、前記の狭めること、テーパの付与又は湾曲が、前記吊り体又は包囲体の外側の縁が実質的に直線状である状態で、前記吊り体又は包囲体の内側の縁からなされる、請求項１から請求項３までのいずれか一項に記載の装置。
【請求項５】
特定種類の衣服であって、乳房支持装置を吊るために当該衣服に取り付けられる又は取り付け可能な少なくとも一つの（ストラップのない）乳房支持装置を有し、前記乳房支持装置は、使用時に少なくとも一つの乳房を支持するための吊り体又は包囲体状の材料を備えているか、又は請求項１から請求項４までのいずれか一項に記載の乳房支持装置を含む、特定種類の衣服。
【請求項６】
少なくとも一つの乳房を支持する方法であって、前記方法は、前記乳房を再利用可能な吊り体又は包囲体状の材料で吊ること、及び、前記吊り体又は包囲体状の材料を、特定種類の衣服上にて又は着用者の体上にて、特定種類の衣服の下から、関連する乳房の上側部分又はその上方又は少なくとも乳房の乳首の上方の一つ又は複数の位置から、肩及び／又は首及び／又は背中用の支持ストラップがなくとも支持すること、を含む方法。
【請求項７】
特定種類のカバー衣服の下から少なくとも一つの乳房を支持する乳房支持装置であって、前記装置は、再利用可能であるとともに、前記乳房を持ち上げ且つ支持するための手段を含み、前記手段は、使用時に、前記乳房の乳首の上方の一つ又は複数の位置から吊られ、前記位置は、衣服又は着用者の体上であって衣服の下にあり、且つ、好ましくは、前記乳房を持ち上げ且つ支持するための前記手段は、吊り体又は包囲体状の材料を備え、且つ、好ましくは、前記乳房を持ち上げ且つ支持するための前記手段は、使用時に乳房を部分的に包囲する（とともに、使用時に、乳房の外側部分及び下側にて、乳房の谷間へ向けて上方及び内側に乳房を引っ張るように作用する）ストリップ又は同様のものを備える、乳房支持装置。
【請求項８】
特定種類の衣服から少なくとも一つの乳房を使用時に吊るための、吊り体又は包囲体状の材料の形態をとる乳房支持装置であって、前記装置は、吊り体又は包囲体状の材料のための吊り手段を含み、前記吊り手段は、乳房支持装置とともに着用される特定種類の衣服に取り付け可能であり、且つ、好ましくは、吊り体又は包囲体状の材料は前記吊り手段に取り外し自在に留め付け可能である、乳房支持装置。
【請求項９】
カバー衣服の下から少なくとも一つの乳房を支持する乳房支持装置であって、前記装置は、前記乳房を包囲し又は部分的に包囲し且つ支持するための、調整可能な吊り体又は調整可能な手段を備え、前記乳房を包囲する又は部分的に包囲する、前記吊り体又は手段のサイズは、乳房の種々のサイズ及び／又は着用者の二つの乳房間のサイズの相違に適するように（自動的に）調整可能である、乳房支持装置。
【請求項１０】
ビキニトップのような衣服であって、二つの乳房用カップを含み、各乳房用カップは、使用時に、関連するカップに対して移動可能で且つ変形可能な乳房支持装置を含み、前記装置は、ストリップ又は断片状の伸縮性又は伸張性のある材料であって、その一端部が、使用時にカップの上側部分又はそれに隣接したところに取り付けられるとともに、反対側の端部が、使用時に、関連するカップの下側部分又はそれに隣接したところに取り付けられる、ストリップ又は断片状の伸縮性又は伸張性のある材料を備え、この構成は、乳房を下から且つ外側の縁から支持して使用時に乳房の谷間へ向けて上側及び内側に乳房を引っ張りながら乳房を部分的に包囲するために、乳房が使用時にカップ内へ入れられるときに、前記ストリップ又は断片状の材料が、関連する乳房用カップに対してその長さ方向に移動可能で且つ変形可能であるようになっており、前記ストリップ又は断片状の伸縮性又は伸張性のある材料は、好ましくは、関連するカップ上に対角的に取り付けられ又は傾斜されており、好ましくは、関連するカップの上側頂点に隣接したところから延び、且つ、関連するカップの使用時の下側位置へ向けて下側に延びる、衣服。
【発明の詳細な説明】
【技術分野】
【０００１】
本発明は、衣類の又は衣類に関連する改良に関し、より詳細には、女性用の下着類、すなわち、ブラジャーのような乳房支持構造物に関する。
【背景技術】
【０００２】
女性用の流行衣服は、しばしば、細い肩又は首用ストラップを有しているか、又は、ストラップのない及び／又は背部のない又はホールターネックのもの（及び／又は、透明／半透明なもの、及び／又は非常に繊細なもの、及び／又は寝間着／水着であってもよい）であり、且つ、その下に既存のブラジャーが適切に着用され得ない衣服（以下、「特定種類の衣服」と呼ぶ）の下での乳房の支持及び／又は増強の既知の方法は、少なくとも幾つかの状況において不利なもの又はかなり不満足なものになりがちであると考えられている。「細いストラップ」という用語は、ブラジャーのストラップを完全に覆うのに好都合には用いることができないストラップの幅に言及することを意図したものである。
【０００３】
もちろん、既存のブラジャー（肩ひも式又はホールターネック式）がこのような衣服とともに着用されるのであれば、ブラジャーのストラップは、視認可能又は目に明らかなものとなり、衣服の所望の効果を台無しにしてしまうであろう
【０００４】
特定種類の衣服の下で適切な乳房の支持又は増強をもたらすようにするため、透明なプラスチック製ストラップ又は背中の下方、例えば腰の周りを十字に延びるストラップを備えたブラジャー、又はアンダーワイヤ及び使い捨ての両面皮膚接着テープにより乳房に取り付けられるカップを備えたストラップのないブラジャーといったものに及ぶ多くの提案がなされている。これらの構成のいずれも完全に満足のいくものではないと考えられている。例えば、透明なストラップがブラジャーに設けられている場合では、それにもかかわらず、これらは、依然として、体の上で、例えば肩又は首の周り、又はストラップがあるところならどこであっても見えてしまい、着用者にとって本当に快適で安心できるものではない。また、腰の周りに巻き付けられる十字のストラップを含むブラジャーは、必然的に、それらが乳房を支持したり持ち上げたりするというよりも乳房を押しつぶす傾向があるような態様で、且つ、ストラップが、衣服の下で感知される見苦しい肉の隆起を作り出すかもしれないという点で不利な傾向があるような態様で、設計されることとなる。ブラジャーを取り付けるための乳房での接着テープの使用は、理想からほど遠いものであり、且つ、しばしば、実質的な期間に亘って十分に働くということが全くなく、その結果、ブラジャーが単純に着用者から外れてしまうこととなる。その上、両面テープは、相対的に高価になりがちであり、且つ、一度しか使用することができない。また、接着剤は、体に非常に強力に接着されてしまうものであり、接着剤を完全に取り除くために着用者に対してかなりの痛み又は不快感を余儀なくさせるものである。さらに、要求される態様で乳房を持ち上げたり支持したりしない、このようなブラジャーでは、相対的に自然な外観を実現することが非常に困難である。もっと正確に言えば、このようなブラジャーは、封じ込め式になりがちであり、且つ、乳房の特定のサイズ、形状及び均一性に依存して、乳房を下方へ引っ張ったり、又は不自然な膨らみを作り出したりするかもしれない。要約すると、このような衣服のための幾つかのブラジャーは、不利なことに、低い背部又は透明なストラップの背部（又は、ホールターネックのストラップでさえも）を有するかもしれず、又は、接着テープにより着用者に取り付けられなければならない乳房用カップであって、体の横腹の周りに延びるものを含むことになるかもしれない。このような衣服のための他のブラジャーは、不利なことに、皮膚の上で完全に平坦な状態にはならないかもしれず、且つ、より具体的には、衣服が繊細であるか薄い織物材料からなっている場合、すなわち、前記衣服が、例えば、このようなブラジャーが通常要求されるイブニングウエアである場合には、ブラジャーを覆う衣服を通して見られるか又は感知されるかもしれない。接着テープの使用を必要とする、ストラップがなく且つ背部がない幾つかのブラジャーでは、乳房にかかる下方への重量が、乳房の皮膚に対するブラジャーの摩擦を用いてバランスされなければならず、且つ、このようなブラジャーが有するのは相対的に小さな表面積であるので、肉が締め付けられて、実際上ブラジャーの側部から押し出されることとなるかもしれない。実際には、この問題は、ストラップがなく且つ背部がないブラジャーが、背部がなく且つストラップがない衣服シナリオの下でストラップなしで使用されるときによりきつく着用される必要があるコンバーティブル型のブラジャー（すなわち、特定の衣服とともに使用される場合に所望であればブラジャーから取り除くことが可能なストラップを有するブラジャー）である場合に、よりひどくなるように思われる。たとえそうだとしても、この問題は、低い背部の又はストラップのない又はホールターネックのブラジャーでも、又は、ブラジャーのストラップが細いか又は透明である場合でも（このようなストラップは、体の肉の隆起をもたらす大きな量だけ皮膚を押圧して食い込む傾向にあるので）、生じるかもしれない。
【０００５】
また、既知の背部のない又はストラップのないブラジャーは、大半の女性にある乳房間のサイズの相違をほとんど補償しないものであり、その結果、ブラジャーにより支持されたときに乳房は同じ高さにはないかもしれない。幾つかの背部のない又はストラップのないブラジャーは、着用者により望まれない方法で着用されたときに衣服の外観又は外形を変化させるかもしれない、という点で不利になりがちである。このような背部のない又はストラップのないブラジャーは、多くの種々のサイズが種々のサイズの乳房のために必要とされ、且つ、このようなセットのサイズが、時々、より詳細には着用者がその乳房間で多大なサイズの相違（例えば、１カップサイズ）を有しているような場合に、あまり適合しなくなるような傾向にある、という点で不利である。また、「Ｃ」カップを超えるカップサイズに関しては、このようなブラジャーが市場にほとんどないように思われる。「Ｃ」よりも大きなカップサイズの、このようなブラジャーは、幾つかあるかもしれないが、それらは、着用者による、より多くの又はより少ない定期的な再調整を必要とすることとなる程度だけ乳房を下方へ引っ張ることとなるので、不利になりがちである。このことが、「Ｃ」カップ以下のカップサイズのブラジャーにおいてより多くの選択肢がありがちであることの理由であり、すなわち、この種類のブラジャーはより小さな乳房を支持するのがより容易であると思われるからである。さらに、肩部のない又はストラップのない幾つかのブラジャーは、あまりにも堅く又は剛性があり、カバー衣服を通して見たとき又はその外側から見たときに乳房に対して不自然な剛性又は外観を与えることになりがちである。特定種類の衣服のためのブラジャーは、この明細書ではさらに議論しない他の追加的な不利益を有しているかもしれない。
【０００６】
乳首を覆うことなく両方の乳房を同時に支持するための吊り体又は棚状体の形態の乳房支持体を提供することにより、より大きな自由度を許容することが知られている。しかしながら、吊り体又は棚状体は、特定種類の衣服の下で視認され且つ従ってこのような衣服には適していない、調整可能な肩用のストラップを含むものである。
【０００７】
独国特許第１０２３１６３６号明細書は、アプリケーターリールから体上及び乳房の周りに直接巻き出されることが許容される自動接着性のストリップ状フィルムを示している。このような構成は、不便であり且つ貼り付ける上で扱いにくいものとなりがちである。フィルムストリップは、一度貼り付けた後では「くっつく」特性が失われるので、再利用できないものであり、且つ、アプリケーターリール上に巻き戻されることはできない。さらに、薄いフィルムは、自律的な又は記憶的な形状を持たないものであり、且つ、もしかしたら不便な態様でそれ自身に接着してしまうことになるかもしれない。
【０００８】
米国特許第６，２３１，４２４号明細書は、腕の近くに位置付けられた接着タブにより各乳房の外側でのみ体に取り付けられる乳房用カップを有するブラジャーを示している。従って、関連する乳房の上側部分又はその上方又は少なくとも乳房の乳首の上方の位置から吊られる又は支持される吊り体又は包囲体の材料（より詳細には個々の乳房のための）は存在していない。従って、この構成は、乳房（より詳細には乳房の谷間領域）に対して持ち上げ又は再整形といったものがほとんど行われないという点で不利になりがちである。実際には、アンダーワイヤ／サポーター及び乳房の外観を増強するための剛性のある補強部材の使用が開示されている。
【先行技術文献】
【特許文献】
【０００９】
【特許文献１】独国特許第１０２３１６３６号明細書
【特許文献２】米国特許第６，２３１，４２４号明細書
【発明の開示】
【発明が解決しようとする課題】
【００１０】
本発明の目的は、特定種類の衣服のための乳房の支持及び／又は乳房の増強に関連した、上述した又は他の欠点の一つ又はそれよりも多くのものを少なくとも軽減することにある。
【課題を解決するための手段】
【００１１】
本発明によれば、特定種類のカバー衣服の下から少なくとも一つの乳房を支持する乳房支持装置であって、前記装置は、使用時に前記乳房を持ち上げ且つ支持するように配置された少なくとも一つの吊り体又は包囲体状の材料を備え、前記吊り体又は包囲体は、使用時に、衣服から吊られるか、又は、衣服の下から着用者の体に吊られる乳房支持装置が提供される。
【００１２】
通常、前記乳房支持装置は、肩及び／又は首及び／又は背中用の支持ストラップがないものとなるであろう。
【００１３】
さらに、本発明によれば、特定種類の衣服であって、乳房支持装置を吊るために当該衣服に取り付けられる又は取り付け可能な少なくとも一つの乳房支持装置を有し、前記乳房支持装置は、使用時に少なくとも一つの乳房を支持するための吊り体又は包囲体状の材料を備えている、特定種類の衣服が提供される。
【００１４】
さらに、本発明によれば、特定種類の衣服から少なくとも一つの乳房を使用時に吊るための、吊り体又は包囲体状の材料の形態をとる乳房支持装置であって、前記装置は、吊り体又は包囲体状の材料のための吊り手段を含み、前記吊り手段は、乳房支持装置とともに着用される特定種類の衣服に取り付け可能である、乳房支持装置が提供される。吊り体又は包囲体状の材料は、吊り手段に取り外し自在に留め付け可能であるとよい。
【００１５】
さらに、本発明によれば、少なくとも一つの乳房を支持する方法であって、前記方法は、前記乳房を吊り体又は包囲体状の材料で吊ること、及び、前記吊り体又は包囲体状の材料を、特定種類の衣服上にて又は着用者の体上にて、特定種類の衣服の下から、且つ、好ましくは、乳房の上側部分又はその上方の位置から支持すること、を含む方法が提供される。
【００１６】
通常、乳房支持装置は、個々の乳房を支持するように構成されるであろうが（その結果、このような乳房支持装置は一人の着用者に対して通常二つ必要とされるであろう）、他の実施形態では、両方の乳房が前記乳房支持装置（特により大きな乳房に適用可能なもの）により同時に並んで支持されてもよい。
【００１７】
本発明の実施形態により、乳房支持装置の吊り体又は包囲体状の材料は、好ましくは、乳房の上側部分又はその上方の一つ又は複数の位置から又は少なくとも乳房の乳首の上方から、重力に反して乳房を吊ることにより、一つの又はそれぞれの乳房に対して何らかの形状を与えながら当該一つの又はそれぞれの乳房を持ち上げ且つ支持するように配置することが可能である。
【００１８】
さらに、本発明によれば、特定種類のカバー衣服の下から少なくとも一つの乳房を支持する乳房支持装置であって、前記装置は、前記乳房を持ち上げ且つ支持するための手段を含み、前記手段は、使用時に、前記乳房の乳首の上方の一つ又は複数の位置から吊られ、前記位置は、衣服からとなるか、又は着用者の体上であって衣服の下からとなる、乳房支持装置が提供される。前記乳房を持ち上げ且つ支持するための前記手段は、吊り体又は包囲体状の材料を備えるとよい。
【００１９】
好ましくは、吊り体又は包囲体状の材料は可撓性があり、且つ、伸縮性があるか、又は「伸張自在」であるとよく、且つ、乳房を好ましくは滑らない態様で把持するとよい。好ましくは、吊り体又は包囲体状の材料は、前もって形成された形状を有しておらず、且つ、一つの又はそれぞれの乳房の形状及び／又はサイズに少なくとも部分的に適応するとよい。
【００２０】
たとえそうだとしても、本発明の幾つかの実施形態において、吊り体又は包囲体状の材料には、便利には適切に形作られた挿入物の形態であるとよいフォーム（発砲材）のような詰め物材料が設けられている。好ましくは、挿入物は、吊り体又は包囲体状の材料から容易に取り除くことが可能であり、且つ、着用者に適合する種々のサイズに合わせて取り替えることが可能である。
【００２１】
吊り体又は包囲体状の材料は、乳房支持装置とともに着用される特定種類の衣服に取り外し自在に留め付け可能であるとよく、又は、それに永久的に又は半永久的に取り付けられてもよい。
【００２２】
衣服への取り外し自在の留め付け部が上述したように設けられる場合には、前記留め付け部は、一つ又は複数のスナップボタン、又はＶｅｌｃｒｏ（ベルクロ）（Ｖｅｌｃｒｏは登録商標）のような表面接触留め付け材料、又はボタン及び受け入れ穴又はループを受け入れる穴又は吊り体又は包囲体状の材料の結び目のような手段、といった、適切な手段であるとよい。吊り手段は、ストリップ状の材料の形態を備えているとよく、このストリップ状の材料には、取り外し自在の留め付け部の一部が、取り外し自在の留め付け部の残りが吊り体又は包囲体状の材料に設けられた状態で取り付けられている。例えば、協働するスナップボタンの雌型部が前記材料ストリップ上に設けられ、雄型のスナップボタン部が吊り体又は包囲体状の材料上にあるとよい。前記ストリップ状の材料は、縫い込み及び／又は熱により活性化される接着剤のような任意の都合の良い手段により衣服に接続されるとよい。
【００２３】
本発明の幾つかの実施形態において、衣服への吊り体又は包囲体状の材料の留め付け位置は、（より詳細には衣服の高さ方向に）調整可能であるとよい。このようにすると、二つの乳房支持装置が（各乳房に対して一つ）設けられる場合には、必要であれば、乳房間で均一性が欠如していたり相当のサイズの相違がある乳房の位置を同じにするために、一つ乳房が他のものよりも衣服のより高い点から支持されるとよい。
【００２４】
一つの又はそれぞれの乳房支持装置の留め付け位置は、衣服の上部内側の縁（衣服上にある、関連する肩又は首用の支持ストラップ（もし設けられていれば）の近く）に設けられるとよい。
【００２５】
追加的又は代替的には、各乳房には、より高い均一性又は均整のとれた全体の外観を実現するために、他のものに比べて異なったサイズ又は形状の、吊り体又は包囲体状の材料を備えた、関連する乳房支持装置が設けられるとよい。
【００２６】
一つの又はそれぞれの乳房は、衣服自体の上ではなくむしろ体上の一つ又は複数の位置から吊られた前記吊り体又は包囲体状の材料により支持されることも可能である。このような場合には、吊り体又は包囲体状の材料は、例えば、乳房の上側部分又はその上方に位置付けられた（可能であれば両面）皮膚接着テープにより支持されるとよい。このようなシナリオにおいては、乳房が下から、例えば、両面接着テープにより乳房の下部の湾曲部分に接続された半剛性のカップにより支持されるときに比べて、乳房がよりしっかりと接着テープにより保持されると考えられる。実際には、ストラップがなく且つ背部がないブラジャーを乳房の湾曲部分に取り付けるのに両面接着テープが使用される場合には、実情に比べて、ブラジャーは乳房からより容易に剥がれた状態となり得る。しかしながら、両面接着テープが、本発明に従った吊り体又は包囲体状の材料とともに使用される場合には、接着テープ手段は、剥がれの問題を生じさせることのない乳房の上側部分に取り付けられるべきであると考えられる。
【００２７】
通常、吊り体又は包囲体状の材料の端部は、乳房に着用されたときに互いに近くにあり、且つ、例えば、着用される衣服上にて互いに接近して隣り合うように接続されるとよい。吊り体又は包囲体状の材料の端部は、当該吊り体又は包囲体状の材料が衣服に接続される前に、一緒になるように接続され、その結果、衣服上には吊り体又は包囲体状の材料のための唯一つの取り付け位置があるようにすることが可能である。しかしながら、また、吊り体又は包囲体状の材料の端部は、必要であれば、離間した位置で衣服に接続されるということも可能である。たとえそうだとしても、通常、吊り体又は包囲体状の材料の端部は、衣服上で互いに近くにある（又は、一つの取り付け位置が与えられる）こととなるが、これは、吊り体又は包囲体状の材料が衣服に相対的に広く離間した位置で接続されるのに比べて、上述したことにより良好な支持及び持ち上げが与えられるであろうと考えられるからである。他の場合には、吊り体又は包囲体状の材料の端部が衣服に離間した位置で接続されるのに適するような、異なった感覚又は効果が着用者によって望まれるかもしれない。
【００２８】
乳房をぴったりと包囲し且つ抱きかかえ且つ持ち上げる、「伸張自在」の材料からなる閉じたフープを形成する、乳房のための吊り体又は包囲体状の材料であって、乳房の上側部分又はその上方の点から吊られる吊り体又は包囲体状の材料を作り出すことは、乳房を効果的に持ち上げ且つ揺らして、特定種類の衣服のための現行のブラジャーに比べてずっと自然で且つ増強された外観を提供するものと考えられる。
【００２９】
吊り体又は包囲体状の材料は、それとともに着用される衣服により覆われる前に、乳房の乳首が露出された状態となるようにするとよく、且つ、従って、乳房支持装置は、また、穏当にする目的から、個別の又は一体の乳首用カバー手段を含むとよい。
【００３０】
一つの乳房装置が両方の乳房を同時に支持するのに使用されてもよいが、このことは、乳房の何らかの形状及びサイズとともに期待されるものに比べて、乳房がより近接して一緒になるように移動させるかもしれない。
【００３１】
従って、二つの個々の乳房支持装置（各乳房に対して一つ）を用いることが、少なくともより小さな乳房にとって、本発明の最も有利な実施形態であることが分かるものと考えられる。各乳房のための個々の吊り体又は包囲体状の材料は、乳房の両側に対して最大限の持ち上げ及び整形を与え、且つ、衣服に対しての乳房の最も有利な自然な（減衰されていれば）揺れを許容するものと考えられる。
【００３２】
本発明の多くの他の有利な特徴が、以下の説明及び図面により明らかになるであろう。
【００３３】
以下、本発明に従った乳房支持装置の一実施形態が、原寸に比例しては描かれていない、以下の幾分模式的な図面を参照して、一例としてのみ説明される。
【図面の簡単な説明】
【００３４】
【図１】個々の乳房のための乳房支持装置を示す平面図。
【図２】図１の二つの乳房支持装置とともに着用される特定種類の衣服を裏返しにして示す図。
【図３】図１に示された関連する乳房支持装置を各乳房に着用する女性の上半身を示す図であって、前記乳房支持装置が図２に示された衣服に接続されている様子を示す図。
【図４】図１の乳房支持装置が取り付けられた、図３に示された女性の乳房の一つを示す正面図。
【図５ａ】図２の衣服に取り付け可能である乳房支持装置を留め付けるための代替的な吊り手段を示す図。
【図５ｂ】図２の衣服に取り付け可能である乳房支持装置を留め付けるための代替的な吊り手段を示す図。
【図５ｃ】図２の衣服に取り付け可能である乳房支持装置を留め付けるための代替的な吊り手段を示す図。
【図５ｄ】図２の衣服に取り付け可能である乳房支持装置を留め付けるための代替的な吊り手段を示す図。
【図６ａ】図５ａ〜図５ｄに示された吊り手段の代替的な裏面の図。
【図６ｂ】図５ａ〜図５ｄに示された吊り手段の代替的な裏面の図。
【図７】本発明に従った乳房支持装置の第２の実施形態を平坦にして且つ裏返しにして示す側面図。
【図８】乳房にすぐにでも取り付けられるように形作られた、図１に示された乳房支持装置の外側を示す正面斜視図。
【図８ａ】端部が一緒になるように接続されて閉じたループを形成する前の、図７及び図８の支持装置の型を模式的に示す図。
【図８ｂ】図７、図８及び図８ａの乳房装置により乳房がどのように持ち上げられて新しい形にされるのかを模式的に示す図。
【図９】平坦に置かれたビキニトップであって、各ビキニカップ内に、本発明に従った乳房支持装置の第３の実施形態を含むビキニトップの内側を示す図。
【図１０】関連するビキニカップの一側に各乳房支持装置が引っ張られるようにビキニカップが移動されてなるビキニを示す拡大図。
【図１１】左の乳房にのみ図７及び図８に従った乳房支持装置を着用する女性を示す正面図及び側面図。
【発明を実施するための形態】
【００３５】
図面の図１に言及すると、個々の乳房を支持するように構成された乳房支持装置１は、適切に形作られた一定長の材料Ｍを含む。
【００３６】
乳房支持装置１は、綿／ポリエステルからなる、伸縮性があるか又は「伸張自在」の（好ましくは滑らない）織物、又は織られた又は編まれた構造すなわち例えばレースのようなものである、適切な材料Ｍを含んでいるとよい。材料Ｍは、一層、二層又は多層であってよく、且つ、乳房の外観のサイズを増強したり増加させたりするのに使用することが可能な、発泡材の詰め物材料又は同様のものからなる適切に形作られた挿入物のための、適切に形作られたポケット２（便宜的に矩形状の破線として示されている）を備えても備えていなくてもよい。
【００３７】
この特定的な実施形態において、乳房支持装置１の長さは２３ｃｍで且つ幅は８ｃｍであり、上側及び下側の平行直線辺Ｓ１，Ｓ２の長さはそれぞれ１４ｃｍである。乳房支持装置１の各端部は、反対側に湾曲した側縁１ａ，１ｂ、１ｃ，１ｄにより、それぞれの雌型のスナップボタン部分１０１ａ，１０１ｂ、１０１ｃ，１０１ｄに嵌まる雄型のスナップボタン部分３ａ，３ｂへ向けて内側に向かって形作られており、ここで、雌型のスナップボタン部分１０１ａ，１０１ｂ、１０１ｃ，１０１ｄは、細い肩用ストラップｓ１，ｓ２（図２及び図５ｂを参照）を有する、特定種類の薄っぺらい衣服１００の内側にある、矩形ストリップ状の材料４００の形態をなす吊り手段上に取り付けられている。雄型のスナップボタン部分３ａ，３ｂはそれぞれ、乳房支持装置１の端部のための、協働する取り外し自在の留め付け手段３ａ，３ｂ、１０１ａ，１０１ｂの半分をなしている。衣服上にある雌型のスナップボタン部分１０１ａ，１０１ｂは、前記乳房支持装置１のための、取り外し自在の留め付け手段の嵌り合う半分を形成している。雌型のスナップボタン部分１０１ａ，１０１ｂは、図５ｂに拡大されて詳細に示されている。肩用ストラップｓ１，ｓ２は、図示の容易化のため、その一部のみが示されている。衣服１００は、既存のブラジャーのひもがそれを通して視認されてしまう半透明な材料Ｄからなる上着の形態をしている。
【００３８】
着用者（より詳細には図３の少女により示されている）が乳房支持装置１を使用する際には、それぞれの個々の乳房２０１は、最初に、装置１（乳房２０１を持ち上げ且つ支持する手段）が、乳房の周りでその下から乳房を持ち上げ且つ支持するための吊り体又は包囲体として作用するような態様で、下から包囲され且つ支持される。装置１の湾曲した形状は、形成された吊り体が乳房２０１にきちんと収まることを許容する。有利には、乳房２０１は、乳房を滑らない態様で保持する吊り体の伸張自在の材料により把持される。いったん、一つの乳房２０１が関連する乳房支持装置１により包囲されて乳房支持装置１の端部が互いに近接した状態になったときには、雄型のスナップボタン部分３ａ及び３ｂは、装置１及び従って関連する乳房２０１を衣服１００から吊るために、雌型のスナップボタン部分１０１ａ，１０１ｂ又は１０１ｃ，１０１ｄに取り外し自在に接続されることが可能である。他の乳房は、同様の方法で、雄型のスナップボタン部分３ａ，３ｂが、空いている雌型のスナップボタン部分１０１ａ，１０１ｂ又は１０１ｃ，１０１ｄに係合された状態で、第２の乳房支持装置１により吊られてもよい。
【００３９】
なお、衣服１００は、図３に示すように少女の首の周りを通る非常に細いストラップｓ１，ｓ２（及びそれは衣服のホールターネックの一部であるかもしれないもの）を含むことに留意すべきである。衣服１００は、ストラップを有する既存のブラジャーとともに着用されることはできないが、これは、そのストラップが細いストラップＳ１，Ｓ２により見えないようにすることができないからである。
【００４０】
従って、二つの乳房支持装置１が、乳房を目立たない態様で持ち上げ且つ支持するために衣服１００とともに着用されるとよい。
【００４１】
それぞれの乳房２０１は個別の支持装置１により個々に支持されるので、より詳細には乳首が衣服１００自体によってのみ覆われる場合には、より自然な外観が得られるものと考えられる。
【００４２】
図面の図３においては、乳房支持装置に挿入物が設けられていないと理解すべきである。
【００４３】
図面の図４は、乳房支持装置１（図１）により支持された個々の乳房２０１の正面図を示している。乳房２０１が、吊り体の態様で作用する乳房支持装置１により支持されているので、下から及び両側から、より詳細には図の矢印ａ及びｂの方向に作用する力により、より良好な持ち上げ及び支持が乳房に対して与えられるものと考えられる。従って、乳房２０１自体は、押し潰されたり、平らにされたり、出っ張りを生じさせる態様で下から直接持ち上げられたりはしない。重要なことには、乳房２０１は、乳房と体との接合部から外側へ延びる領域で十分に支持されるということであり、単に前記接合部から離間した位置で下から支持されるということではないということである。従って、乳房支持装置１は、乳房２０１の輪郭を抱きかかえることとなる。
【００４４】
本発明の代替的な実施形態（図示せず）において、乳房支持装置１の留め付け手段の衣服上での接続又は留め付け位置は、任意の適切な手段により調整可能（好ましくは高さが調整可能）であり、その結果、乳房のサイズ又は形状に重大な相違がある場合には、より均一なバランスのとれた外観を与えるために一つの乳房が他のものよりも多くの持ち上げ及び支持が必要であれば、一つの乳房が他のものよりも高い衣服の位置で支持されるようにするとよい。高さの調整は、連続的に調整可能であってもよいし、幾つかの予め選択された位置により与えられてもよい。
【００４５】
このような高さ調整可能な接続を衣服１００自体の上で行うのではなく、第２の乳房のために乳房支持装置１の異なったサイズが使用され、その結果、第２の乳房支持装置１が、第２の乳房が第１のものに比べて高く持ち上げられることを許容する異なった支持パラメータを有するようにして、それぞれが衣服上の同様の高さ位置から支持されるようにしてもよい。
【００４６】
図５ａ〜図５ｄは、衣服１００へのブラジャー支持装置１の異なった留め付け又は接続手段を有する、変形例としての吊り手段４００′，４００，４００″，４００′″を示している。図５ａは、乳房支持装置１上にある図示されていない単一の雄型のスナップボタン部分（二つの雄型のスナップボタン部分が設けられているのではない）と協働し得るスナップボタン留め付け部の雌型部分４０１を含む、矩形片の材料４００′を示している。そして、図６ａは、自動接着性の裏当て４０２が設けられている様子を示す裏面図であり、この裏当て４０２は、例えばアイロンにより加熱によって活性化されて、衣服１００へ取り付けられるとよい。このような構成は、図５ａに示されている単一のスナップボタンの構成又は図５ｂに示されている二つのスナップボタン構成とともに使用されてもよい。
【００４７】
図５ｃは、スナップボタン留め付け部３ａ，３ｂ、１０１ａ，１０１ｂの代わりに、一つ又はそれよりも多くのループ又はボタン穴（乳房支持装置１上にある図示されていないもの）と協働し得るボタンＢを備えた、矩形片の材料４００″を有する、代替的な留め付け構成を示している。同様に、図５ｄには、直角に角度が付けられたスロットＣであって、それを通して乳房支持装置１上にある結び目（図示せず）が通過してストリップ４００′″の裏面上で結ばれることとなるスロットＣが設けられているとよい。
【００４８】
追加的又は代替的には、ストリップ状の材料４００，４００′，４００″，４００′″の裏面には、衣服１００への取り付け又は追加的な固定のために、図６ｂに示されているような予め位置付けられた縫い込み穴ｐが設けられていてもよい。
【００４９】
本発明の上述した実施形態は、衣服１００上の離間した位置から取り外し自在に吊られる乳房装置１を規定したものである。しかしながら、乳房支持装置１の衣服１００への接続は、事実上永久的又は半永久的なものであるとよく、又は代替的には、乳房装置が着用者の体から（例えば、関連する乳房の上側部分に都合良く取り付けられた両面接着テープにより、すなわち乳房の上方であって、衣服１００の下から）直接吊られることも可能である。
【００５０】
図示されてはいないけれども、代替的な構成において、乳房支持装置は、個々の乳房ではなく両方の乳房を包囲する、吊り体又は包囲体状の材料を備えていてもよい。従って、このような乳房支持装置のためには、唯一つの中央上側の吊り位置（着用者の衣服又は体のいずれかにある）が必要とされるであろう。
【００５１】
本発明に従った乳房支持装置は、図面の図３及び図４に示されているものに比べて、乳房２０１のより多くの部分を覆う、よりカップ形状又はバッグ形状に近いものであることが可能である。乳房装置１が、着用者に適することが望まれる、乳房のより多く又はより少ない部分を覆うように伸縮することも可能である。
【００５２】
本発明の実施形態の利点は次のとおりであろう。
１．真に背部のない乳房支持装置が提供されることが可能である。
２．特定種類の衣服を通して又はその外側から視認可能な線、折り目又はしわがない。
３．乳房の下側への乳房支持装置の接着がない。
４．より高い持ち上げのために、特定種類の衣服のための入手可能なサイズの種類が非常に多い。
５．乳房支持装置が体の胴体を包囲することがない。
６．乳房支持装置が衣服又は衣服の一部に対しての付属物となることが可能である。
７．二つの乳房支持装置が必要とされる場合に、前記装置が種々の異なった形態で販売されて吊り手段に接続されることが可能である。
８．乳房位置に応じて衣服への取り付け点があるようにすることが可能である。
９．異なったサイズの乳房に対応して衣服の下で同一の高さとなるようにする、調整可能な支持装置が得られる。
１０．単一、二つ又は複数の取り付け点が乳房支持装置のために提供されることが可能である。
１１．予め切断された縫い穴、及び、その幾つかが市場で容易に入手可能であるような種々の手段によるファスナーが提供されることが可能である。
１２．乳房支持装置が店頭で又は仕立てサービスの一部として縫い付けられる（取り付けられる）ことが可能である。
１３．（調整可能な）構成が提供されることで、異なったサイズの乳房のために一つのサイズのみの乳房装置が必要とされるということが可能である。
１４．乳房支持装置が、特定種類の衣服のためのブラジャーに比べて、製造がずっと安価であり得る。
１５．乳房装置が種々の織物で作り出されることが可能であり、且つ、乳房を異なった（高められた）方法で支持するのに、より詳細には、着用される特定種類の衣服の特性及び着用者により望まれる乳房装置の種類に依存した方法で支持するのに、種々の織物及び材料がかかわることが可能である。
１６．乳首を覆うために乳房カバーを設けることが可能である。なお、乳房カバーは、より詳細には乳房が比較的柔らかく且つ流動的である場合には、単に乳首を覆うのではなく追加的な支持機能を果たすように設計されるとよい。比較的柔らかく且つより流動的である乳房は、年配の女性でより頻繁に生じるであろうものであり、且つ、このような乳房は、吊り体を用いて適切に支持することがかなり難しいであろう。これは、このような吊り体により、乳房の一部の「流動」又は吊り体からの「張り出し」が引き起こされながら柔らかい乳房が局所的に変形されることが許容されてしまうからである。カバーにより提供される追加的な支持機能は、このような流動又は張り出しが生じることを緩和するためのものである。乳首カバーは、実質的に乳房全体を覆ってもよい。
１７．乳房支持装置が、乳房に対して望ましくない偽物の外観を与える、予め形成された剛性のあるカップである必要がない。
１８．特定種類の衣服が、水着、ビキニ、ホールターネック、ストラッピー、繊細なもの、背部が低いもの、背部のないもの、又は寝間着を含むことが可能であり、且つ、乳房支持装置が、特定種類の衣服だけというのではなく任意の衣服とともに着用されることが可能であり、これにより、異なった衣服に対して異なった種類の乳房支持装置を設けるという必要性を取り除くことができる。
１９．乳房支持装置が、特定種類の衣服のために提供された他の装置に比べて、より繊細で、及び／又は、官能的であり得る。
２０．乳房支持装置に剛性がなくてもよい（幾つかの実施形態において部分的に剛性があってもよいが）。
２１．乳房装置が乳房自体の輪郭の範囲内で機能し又は乳房自体の輪郭により規定されるので、衣服の形状が全く変化せず、且つ、衣服が着用されている間に事実上実質的に感知されることがないであろう。
【００５３】
本発明が多くの改良（少なくともそのうちの幾つかは個々に又は組み合わされて特許性があるかもしれないもの）を提供するものであることは正しく認識されるべきである。上述した又は図示された又はここで暗に意味された又はその組み合わせとしての任意の個々の特徴、又はそれに関連する機能又は方法は、特許的にみて発明性のあるかもしれないものであり、且つ、ここで使用されている任意の特別の用語は、不必要に又は過度に限定するものとして解釈されるべきではなく、このような用語の範囲は、任意の均等又は一般的な表現まで拡張され、又はこのような表現によって置き換えられ又は補完されるべきものである。例えば、「吊り体」という用語は、「ストラップ」又は「ストリップ」又は「可撓性のある支持体」又は「吊り装置」又は「乳房を支持する装置」によって置き換えることが可能であり、「乳房支持装置」は、「乳房再整形又は乳房質量再配分装置」によって置き換えられてもよい。追加的に言えば、任意のパラメータ又は変数のための、ここで述べられている任意の範囲は、その範囲内の任意の派生的な小範囲、又はその範囲又は小範囲内にある又はその範囲又は小範囲の端での変数又はパラメータの任意の特定の値についての開示を含むとして理解すべきである。単数形は複数形を含むものであり、且つ、その逆もまた同様である。
【００５４】
このため、さらにもっと言えば、本発明によれば、カバー衣服の下から少なくとも一つの乳房を支持する乳房支持装置であって、前記装置は、前記乳房を包囲し又は部分的に包囲し且つ支持するための、調整可能な吊り体又は調整可能な手段を備え、乳房を包囲する又は部分的に包囲する、前記吊り体又は手段のサイズは、乳房の種々のサイズ及び／又は着用者の二つの乳房間のサイズの相違に適するように（自動的に）調整可能である、乳房支持装置が提供される。
【００５５】
本出願人は、乳房支持装置に対してさらなる改良又は修正を行った。
【００５６】
従って、本発明に従った乳房支持装置のさらなる実施形態が、さらに添付された図面を参照して、以下、一例としてのみ説明されるであろう。
【００５７】
図７は、本発明に従った乳房支持装置の第２の実施形態を平坦にして且つ裏返しにして示す側面図である。
【００５８】
図８は、乳房にすぐにでも取り付けられるように形作られた、図１に示された乳房支持装置の外側を示す正面斜視図である。
【００５９】
図８ａは、端部が一緒になるように接続されて閉じたループを形成する前の、図７及び図８の支持装置の型を模式的に示す図である。
【００６０】
図８ｂは、図７、図８及び図８ａの乳房装置により乳房がどのように持ち上げられて新しい形にされるのかを模式的に示す図である。
【００６１】
図９は、平坦に置かれたビキニトップであって、各ビキニカップ内に、本発明に従った乳房支持装置の第３の実施形態を含むビキニトップの内側を示す図である。
【００６２】
図１０は、関連するビキニカップの一側に各乳房支持装置が引っ張られるようにビキニカップが移動されてなるビキニを示す拡大図である。
【００６３】
図１１は、左の乳房にのみ図７及び図８に従った乳房支持装置を着用する女性を示す正面図及び側面図である。
【００６４】
図面の図７、図８、図８ａ及び図１１を参照すると、任意の衣服、例えば図１１に示されているドレスＤとともに使用される乳房支持装置５００は、吊り体又は包囲体状の材料５０１を含んでいる。吊り体又は包囲体状の材料５０１は、伸縮性があるか又は「伸張自在」で、且つ、滑らないものであり、例えば、綿／ポリエステルからなり、又は、図１に示された乳房装置１に関連して述べた任意の材料からなっている。吊り体又は包囲体状の材料５０１は、図示されているように、端部５０１ａ，５０１ｂが伸縮性のある接続用ストラップ５０２の幅まで狭められるように形作られており、前記端部５０１ａ，５０１ｂは、例えば適切な縫い込みによりストラップに接合されるとともに互いに接合される。ストラップの端部５０１ａ，５０１ｂは、接続用ストラップ５０２の金属製の接続用バックル５０３の開口部に通される。接続用ストラップ５０２は、乳房装置５０１を、外側の衣服の適切な位置に（例えば、所望であれば、開放端バックル５０４によりドレスＤに）接続したりフックで引っかけたりするために使用されるとよい。
【００６５】
たとえそうだとしても、乳房支持装置５００は、たいていの場合、乳房支持装置５００を任意の支持用の衣服に実際に取り付ける必要が全くないという点で、有利で且つ助けになるものであるということが分かる。
【００６６】
図７から明らかなように、乳房支持装置５００は、体に接する乳房の領域にて使用時に乳房を下から支持するように配置される、ストリップ状のシリコーン又は他の把持用材料５０５（可能であれば接着テープ）を含んでいる。また、シリコーン製のストリップ５０５の端部５０５ａ及び５０５ｂは、吊り体材料５０１（図８ａ参照）と同様の態様で湾曲され且つ狭められている。シリコーン５０５又は他の把持用材料は、吊り体材料５０１に吹き付けられていてもよい。
【００６７】
乳房支持装置５００の上縁は、縫い込み５０６ａにより材料ストリップ５０６で縁が付けられており、更なる線又はシームの縫い込み５０７（図７参照）が、装置５００の中央前方部５０８から、ストリップ上のスティックの内縁５０５ｃまで走っている。この実施形態においては、このシームが装置５００の形状を作り出すのに役立っている。
【００６８】
乳房支持装置５００を使用する試験において、シリコーン製のストリップ５０５の使用により前記装置が乳房に極めて成功裡に接着し、且つ、より詳細には、吊り体の区域ｓ（使用時には乳房の上側部に位置することとなる）に沿って徐々に先細となり又は湾曲することによりシリコーン製のストリップ５０５及び吊り体５０１の幅が端部へ向かって減少するため、乳房が再整形される、ということが分かった。従って、乳房の全体は、非常に満足のいく形で、支持され、形作られ、且つ増強され、且つ外観がより丸みを帯びたものとなる。
【００６９】
実際には、乳房支持装置５００は、（より詳細には、乳房が既にその元の形状及び支持の多くを失って垂れ下がっている場合には）乳房の質量を再整形したり再分配したりするように作用し、実物よりもずっと良く見える外観を提供する。
【００７０】
シリコーン製のストリップ５０５は、装置５００が乳房に対して動き回ることを防止するのに役立ち、且つ、乳房がその新しい形状を保つのに役立つ。
【００７１】
図８ａ（明瞭化のために接続用ストラップ５０２が省かれている）に示されているように、吊り体５０１の端部５０１ａ，５０１ｂ及びシリコーン製のストリップ５０５の端部５０５ａ，５０５ｂは、図面の図１に示されている乳房支持装置の端部の形状（ここで、装置１の各端部は、反対側に湾曲した側縁１ａ，１ｂ、１ｃ，１ｄにより、内側に向かって形作られている）とは異なり、（直線上の外縁５０５ｄを残しながら）乳房の円形の形状へ巻き付けられることとなる内縁からのみ狭められていることに留意すべきである。
【００７２】
図８ｂは、およそ矢印Ｚの方向に作用する力により、どのようにして乳房Ｂが、破線で示されている型Ｂ′になるように丸みが付けられ且つ再整形され得るのかを示している。実際には、乳房Ｂ′は、図８ｂに示されているものよりもかなり高くなるであろう。
【００７３】
図１１は、乳房装置５００を利用して得ることが可能な顕著な結果を示している。
【００７４】
有利なことに、乳房装置５００の構成が任意のサイズの乳房（特に大きな乳房）で成功裡に使用されて、（圧縮力により）乳房を持ち上げ且つ支持し且つ再整形することが可能であり、これに対し、例えば「貼り付け式」又は「ロールオン式」の乳房用カップは、実際にはＣカップまでにのみ利用され得るものである、ということを理解することが非常に重要である。従って、本発明の実施形態に従った乳房支持装置は、単なる支持機能以上のものを果たすものであり、むしろ乳房質量の再分配及び再整形用又は固定／圧縮用装置として考えることが可能である。
【００７５】
図１１は、ドレスＤの下で観察される、乳房支持装置を左側の乳房にのみ適用した様子を示している。直ちに、ドレスＤの下で支持されていない右側の乳房と比較して、どのようにして乳房支持装置５００が乳房を持ち上げ且つ再整形することが可能であるのかが分かるであろう。この場合、左側の乳房が右側の乳房に比べて非常に高くなっていることに留意すべきである。図１１において、乳房装置５００は、衣服Ｄ自体には取り付けられていないことが理解されるべきであり、それは、単に、支持し圧縮し且つ再整形する態様で乳房の周りに巻き付けられてそれに固定されている。
【００７６】
本出願人は、シリコーン５０５が追加される乳房支持装置５００の織物が、有利には、良好な記憶形状特性を有し、その結果、曲げられたときには、衣服の形状及び支持を外見上最大化するため、且つ、装置の寿命（すなわち装置が使用される多数の機会）を増加させるため、乳房装置が元の形状へ戻るべきであると考えている。
【００７７】
有利には、乳首を横切って伸びる任意の織物は、好ましくは、良好な再整形品質を作り出すために、使用時に、垂直方向よりも水平方向に関してより大きな伸張可能性を有するとよく、そうでない場合には、乳房に対して目立った形の又は先の尖った外観が生じることとなる。
【００７８】
シリコーン製のストリップ５０５（又は他の伸縮性のあるストリップ）の幅は、一般的には、支持される乳房のサイズに依存しており、より小さな乳房に対してはより小さな幅を持つこととなるであろう。重要なことは、最良の支持／整形のためには、乳房の上側部分が下側部よりも、それに作用する力をあまり持つ必要がないと考えられることであり、そのため、ストリップ５０５は、好ましくは、端部（使用時に乳房の上側部へ向かって位置付けられるもの）へ向かって狭められて、乳房の上側部分に対して下側部よりも小さな弾性力が提供されるとよい。代替的又は追加的には、乳房の上側部分へ向かって位置付けられるストリップ５０５（又は他の伸縮性のあるストリップ）の部分は、乳房の下側部分を支持するストリップの部分よりも低い弾性を持つ材料からなっているとよく、これにより、同様にして乳房の上側部分に対してより小さな弾性力が提供されるとよい。
【００７９】
さらに、好ましくは、どんな乳首カバーであっても、衣服の下でシームが視認可能であることを避けるように形作られるべきである。
【００８０】
好ましくは、乳房支持装置は、例えば留め付けを許容するかぎホックを用いて（１カップサイズまで）調整可能であるとよい。
【００８１】
好ましくは、装置５００の包囲設計は、装置が容易に乳房に取り付けられるように、（剛性があるというよりも）開放可能／伸張可能であるべきである。
【００８２】
図９及び図１０は、略三角形状のブラジャーカップ６０１，６０２のそれぞれに取り付けられた、緩く位置付けられた乳房支持装置７００を含むビキニトップ６００を示している。
【００８３】
図９及び図１０から明らかなように、それぞれの乳房支持装置７００は、図面の図１に示されている乳房装置１と同様の形状でスナップボタン部分３ａ，３ｂを有していない織物からなるストリップからなっている。図示されているように、乳房支持装置７００の端部のみが（例えば、所望であれば、縫い込み又はスナップボタンにより）取り付けられている。それぞれのブラジャー装置７００の上側端部７００ａは、それぞれのビキニカップ６０１，６０２の内側の上部頂点縁に取り付けられ、且つ、それぞれの装置７００の下側端部７００ｂは、それぞれのカップ６０１，６０２の内側の頂点又は隅部（その底縁に沿ったもの）の近くに取り付けられている。装置７００の側部は、関連するビキニカップに対しての何らの取り付け又は縫い込みからも自由にされ（又は解放され）ている。
【００８４】
ビキニトップ６００及び乳房支持装置７００を使用する際には、それぞれの装置７００は、装置７００を乳房の外側周縁の周りに移動させて、それぞれの乳房の下部の全ての周り（乳房の外側の近くにある中央の谷間から、乳首の垂直方向上方に通常存在する乳房の最上点まで）を部分的に包囲し又はそれに巻き付くように、中心からおよそ矢印Ｘの方向に移動（変位又は変形）又は伸張されるであろう。
【００８５】
これにより、それぞれの乳房装置７００は、持ち上げを行うとともに谷間のところで相互的な支持をなすために乳房を一緒に押しながら、乳房を支持し且つ整形する。
【００８６】
実際には、それぞれの乳房装置７００の取り付け部は比較的簡単な支持手段のように見えるかもしれないが、このような支持が、単に、それぞれの乳房にある（伸縮自在の）部分的な包囲体又は部分的な吊り体の形態の乳房装置７００を用いることにより正に効果的になされていることは驚くべきことである。
【００８７】
ビキニトップは、それらを一緒にして使用者の首の周りに取り付ける前に、それぞれのカップの上側頂点から延びるストラップ６０３及び６０４を有している。それぞれのカップ６０２の外側頂点は、関連するストラップ６０５，６０６を有しており、且つ、これらのストラップは、使用者の背中の周りで一緒に結ばれることが可能である。
【００８８】
このため、さらにもっと言えば、本発明によれば、ビキニトップのような衣服であって、二つの乳房用カップを含み、各乳房用カップは、好ましくは、関連するカップ上に対角的に取り付けられ又は傾斜されており、好ましくは、関連するカップの上側頂点に隣接したところから延び、且つ、各カップの使用時の下側位置へ向けて下側に延びている。
【００８９】
さらに、本発明によれば、直ぐ前の段落で述べた衣服のための乳房支持装置が提供される。
【００９０】
それぞれの乳房装置は、使用時に、乳房を下から且つ外側の縁から支持して、乳房を乳房の谷間へ向かって上側及び内側に引っ張りながら乳房を部分的に包囲するように作用するストリップ状の材料を備えているとよい。
【００９１】
好ましくは、ストリップ又は断片状の材料は、一端部が、カップの上側部又はそれに隣接するところに（永久的に又は取り外し自在に）取り付けられており、且つ、反対側の端部が、関連するカップの下側部又はそれに隣接するところに取り付けられている。ストリップ状の材料は、関連するカップに対してその長さに沿って移動可能であってもよい。
【００９２】
日本国特許明細書（特開２００２−３０９４０４号）は、カップの側部でブラジャーの材料に一体化された、一対の湾曲した分岐ストラップを有するブラジャーを示している。ストラップは、それらの長さに沿った位置でブラジャーの材料（既に湾曲した形状にある）に一定化され且つ縫い込まれており、且つ、それらの長さに沿って移動／変形したり、乳房を支持するために乳房がブラジャーのカップに導入されるときに（乳房を部分的に包囲するために）関連するカップの一側部へ引っ張られたりするようには、緩く位置付けられてはいない。
【００９３】
さらにもっと言えば、本発明によれば、乳房を持ち上げ且つ再整形し且つ乳首の高さを上げながら乳房の質量を再分配するために、使用時に少なくとも一つの乳房を（好ましくは乳房を完全に包囲しながら）保持及び圧縮するように構成された乳房支持装置が提供される。装置は、（伸縮自在の）圧縮リング又はチューブの形態であってもよい。
【図１】
2011089248.tif 000003
【図２】
2011089248.tif 000004
【図３】
2011089248.tif 000005
【図４】
2011089248.tif 000006
【図５ａ】
2011089248.tif 000007
【図５ｂ】
2011089248.tif 000008
【図５ｃ】
2011089248.tif 000009
【図５ｄ】
2011089248.tif 000010
【図６ａ】
2011089248.tif 000011
【図６ｂ】
2011089248.tif 000012
【図７】
2011089248.tif 000013
【図８】
2011089248.tif 000014
【図８ａ】
2011089248.tif 000015
【図８ｂ】
2011089248.tif 000016
【図９】
2011089248.tif 000017
【図１０】
2011089248.tif 000018
【図１１】
2011089248.tif 000019
【手続補正書】
【提出日】平成22年12月20日(2010.12.20)
【手続補正１】
【補正対象書類名】特許請求の範囲
【補正対象項目名】全文
【補正方法】変更
【補正の内容】
【特許請求の範囲】
【請求項１】
ビキニトップのような衣服であって、二つの乳房用カップを含み、各乳房用カップは、使用時に、関連するカップに対して移動可能で且つ変形可能な乳房支持装置を含み、前記装置は、ストリップ又は断片状の伸縮性又は伸張性のある材料であって、その一端部が、使用時にカップの上側部分又はそれに隣接したところに取り付けられるとともに、反対側の端部が、使用時に、関連するカップの下側部分又はそれに隣接したところに取り付けられる、ストリップ又は断片状の伸縮性又は伸張性のある材料を備え、この構成は、乳房を下から且つ外側の縁から支持して使用時に乳房の谷間へ向けて上側及び内側に乳房を引っ張りながら乳房を部分的に包囲するために、乳房が使用時にカップ内へ入れられるときに、前記ストリップ又は断片状の材料が、関連する乳房用カップに対してその長さ方向に移動可能で且つ変形可能であるようになっており、前記ストリップ又は断片状の伸縮性又は伸張性のある材料は、好ましくは、関連するカップ上に対角的に取り付けられ又は傾斜されており、好ましくは、関連するカップの上側頂点に隣接したところから延び、且つ、関連するカップの使用時の下側位置へ向けて下側に延びる、衣服。
【外国語明細書】
2011089248000001.pdf